(57)【要約】      （修正有）【課題】自ら相手先の電話番号を登録する必要がなく、所有者等が、予め相手先の電話番号を知らない相手先に初めて電話を掛ける場合でも、電話番号データに基づき、相手先に電話を掛けることができる利便性の高い通信端末装置を提供する。【解決手段】通信端末装置用記録装置２は、固定電話装置、携帯電話装置、及び、多機能型携帯電話装置など（電話装置等）の通信端末装置に用いられるものであって、読み出し専用の電話番号データを有し、通信端末装置の機器本体部１に分離可能に取り付けられる。【選択図】図１
2014039114.tif 000002
【特許請求の範囲】
【請求項１】
読み出し専用の電話番号データを有し、通信端末装置に分離可能に取り付けられる通信端末装置用記録装置。
【請求項２】
請求項１に記載された通信端末装置用記録装置であって、チップ状の半導体メモリである、記録装置。
【請求項３】
記録装置と、機器本体部とを含む通信端末装置であって、
前記記録装置は、請求項１又は２に記載されたものでなり、前記機器本体部に分離可能に取り付けられている、
通信端末装置。
【発明の詳細な説明】
【技術分野】
【０００１】
本発明は、固定電話装置、携帯電話装置、及び、多機能型携帯電話装置など（電話装置等）の通信端末装置に用いられる記録装置、及び、これらを用いた通信端末装置に関する。
【背景技術】
【０００２】
現在、電話装置等の通信端末装置は、予め機器本体内のメモリ部に電話番号を記録しておき、発信時に、前記メモリ部から所望の電話番号を選択し、発信させる機能（メモリダイヤル機能）を有している。
【０００３】
上述した通信端末装置のメモリダイヤル機能に係る従来技術について、例えば、特許文献１及び２が知られている。特許文献１記載の通信端末装置は、情報入力部と、表示部と、メモリ部と、処理部とを含む。情報入力部はダイヤルボタン又はタッチパネル等の入力手段により相手先の名前や電話番号等の発信情報を入力し、表示部は前記発信情報を表示し、メモリ部は前記発信情報を格納し、処理部は情報入力部による入力操作に応じて前記発信情報を表示部に表示させる。
【０００４】
特許文献２記載の通信端末装置は、１人の相手側名前に対し、電話番号等の発信情報を各項目に対応付けて格納可能なメモリ部を有し、前記メモリ部に格納された発信情報を一覧表示する際に、前記発信情報に係る項目の内、既登録項目と、未登録項目とで表示形態を異ならせることを特徴としている。
【０００５】
ところで、この種の通信装置のメモリダイヤル機能は、相手先の電話番号等の発信情報を、当該通信端末装置の所有者又は使用者（当該所有者等）が、自ら登録しない限り実行することができない。違う言葉で表現すれば、メモリダイヤル機能の実行は、当該所有者等が、予め相手先の電話番号等を知っていることが前提となり、さらに言えば、当該所有者等に相手先の電話番号等をメモリ部へ登録しようと思う動機づけがあることが前提となる。
【０００６】
しかし、当該所有者等は、必ずしも、相手先の電話番号を予め知っている訳ではない。例えば、相手先に初めて電話を掛けるとき、当該所有者等は、相手先から事前に電話番号を伝えられていない限り、いわゆる電話帳冊子などで電話番号を調べ、一桁づつプッシュするといった極めて面倒な発信作業を行わなければならない。しかも、電話番号を一桁づつプッシュする発信作業は、押し間違いなどが生じやすく、間違い電話が誘発されるという問題も生じる。
【０００７】
また、発信情報の登録作業は、少なからず面倒であるから、相手先から事前に電話番号が伝えられている場合であっても、以後、同相手先に対して再び電話を掛ける予定がないとき、あえて前記登録作業を行わない傾向にある。その結果、相手先から事前に伝えられた電話番号を、一桁づつプッシュするといった極めて面倒な発信作業を行わなければならなくなる。
【０００８】
さらに、当該所有者等に特定の相手先情報を当該アドレス帳へ登録しようと思う事前の動機づけがない場合の問題は、公的サービスを利用する場合にも生じる。例えば、各地方自治体には、住民の生命および財産を守るため、自殺問題、家庭内暴力問題、いじめ問題などの各種相談窓口が設けられ、各相談窓口には専用の電話番号が開設されている。しかし、この種の公的サービスは、所有者等が各問題に直面したときに初めて利用しようという動機が生まれるから、その専用電話番号が、事前に通信端末装置へ登録されることはない。しかも、所有者等が実際に各問題に直面している状況では、電話帳冊子から相談窓口の専用電話番号を調べるなどの冷静な判断を行うことは困難である。その結果、救えるべき住民の生命財産が救われなくなるという問題を生じる。
【０００９】
同様の問題は、高齢者においてより顕著に現れる。例えば、高齢者社会の進展に沿って、高齢者の生活を支援するための公的サービス、及び、民間企業による各種サービスが普及し始めている。しかし、高齢者の側で、同サービスの存在に気付かない場合、さらに言えば、気づいたとしても具体的な電話番号を調べられない場合、同サービスが受けられないという問題が生じる。
【００１０】
上述した問題について、特許文献１及び２記載の通信端末装置、及び、そのメモリダイヤル機能では、解決することができない。
【先行技術文献】
【特許文献】
【００１１】
【特許文献１】特許第２９３３０５８号公報
【特許文献２】特許第３３９８０７１号公報
【発明の概要】
【発明が解決しようとする課題】
【００１２】
本発明の課題は、利便性の高い通信端末装置を提供することである。
【課題を解決するための手段】
【００１３】
上述した課題を解決するため、本発明に係る通信端末装置用記録装置は、読み出し専用の電話番号データを有し、通信端末装置に分離可能に取り付けられる。
【００１４】
本発明に係る記録装置は、通信端末装置と組み合わせて用いられる。すなわち、本発明に係る通信端末装置は、記録装置と、機器本体部とを含み、記録装置は、機器本体部に分離可能に取り付けられている。
【００１５】
上述のように、本発明に係る通信端末装置を構成する記録装置は、読み出し専用の電話番号データを有するから、当該通信端末装置の所有者又は使用者（当該所有者等）が、自ら相手先の電話番号を登録する必要がなくなる。その結果、当該所有者等が、予め相手先の電話番号を知らない場合、例えば、相手先に初めて電話を掛ける場合でも、前記電話番号データに基づき、相手先に電話を掛けることができる。従って、利便性の高い通信端末装置を提供することができる。
【００１６】
本発明に係る記録装置は、通信端末装置を構成する機器本体部に分離可能に取り付けられているから、記録装置を交換するだけで、電話番号のデータ更新を行うことができる。従って、利便性の高い通信端末装置を提供することができる。
【発明の効果】
【００１７】
以上述べたように、本発明によれば、利便性の高い通信端末装置を提供することができる。
【００１８】
本発明の他の目的、構成及び利点については、添付図面を参照し、更に詳しく説明する。添付図面は、単に、例示に過ぎない。
【図面の簡単な説明】
【００１９】
【図１】本発明の一実施形態に係る通信端末装置の構成を簡略化して示すブロック図である。
【図２】本発明のもう一つの実施形態に係る通信端末装置の構成を簡略化して示すブロック図である。
【発明を実施するための形態】
【００２０】
図１及び図２において同一符号は、同一又は対応部分を示すものとする。本発明は、固定電話装置、携帯電話装置、及び、多機能型携帯電話装置などの通信端末装置に用いられる記録装置、及び、通信端末装置に関するものである。図１の通信端末装置は、携帯電話装置、及び、多機能型携帯電話装置等のいわゆる移動体通信機器であって、機器本体部１と、記録装置２とを含む。
【００２１】
機器本体部１は、情報入力部１０と、表示部１１と、マイクロホン１２と、送受信部１３と、スピーカ１４と、メモリ部１５と、信号処理部１６とを含む。これらは、この種の通信端末装置が通常有する基本的な構成要素であるから、以下、簡単に説明する。
【００２２】
情報入力部１０は、通信端末装置が備える通話機能、メール機能、及び、アドレス帳機能などの諸機能を実行するにあたり、実行に必要な英数字や日本語の入力操作を行うためのものであって、具体的には、いわゆるダイヤルボタン方式、又は、指先や専用のペンで画面に触れることで入力を行うタッチパネル方式などである。
【００２３】
表示部１１は、いわゆる操作画面であって、情報入力部１０より入力された情報や、電話番号や名前等の発信情報を表示する。表示部１１は、情報入力部１０がタッチパネル方式であるとき、タッチパネル画面を構成する。この種の表示部１１として、具体的には液晶ディスプレイなどが知られている。
【００２４】
マイクロホン１２は、通話者の音声（物理振動）を電気信号に変換する。変換された音声信号は、アンテナ等の送受信部１３を通じて通話の相手先に無線送信される。スピーカ１４は、送受信部１３を通じて受信した通話の相手先の電気信号を音声に変換（再生）する。
【００２５】
メモリ部１５は、任意のメモリ領域に随時書き込み可能なＲＡＭ（Random Access Memory）であって、好ましくは電源を供給しなくても情報を保持する不揮発性メモリである。
【００２６】
信号処理部１６は、情報入力部１０の入力操作に基づいて、前記諸機能を実行するための演算処理を行う。例えば、通信端末装置のアドレス帳機能において、信号処理部１６は、情報入力部１０から入力される相手先の名称や電話番号等の発信情報をメモリ部１５に記録させるとともに、発信時、情報入力部１０の入力操作に基づいて、メモリ部１５に記録された電話番号から所望の電話番号を選択し、選択した電話番号を送受信部１３から発信させる。
【００２７】
図１に係る本発明の実施形態は、上述した通信端末装置の基本的構成を有することにより、当該通信端末装置の所有者又は使用者（当該所有者等）は、予め機器本体部１内のメモリ部１５に電話番号を記録しておき、発信時に、メモリ部１５から所望の電話番号を選択し、発信させる機能（メモリダイヤル機能）を実行することができる。
【００２８】
ところで、既に説明したところではあるが、この種の通信端末装置に備えられているメモリダイヤル機能では、相手先の電話番号等の発信情報を、当該所有者等が、自らメモリ部１５へ登録しない限り利用することができない。違う言葉で表現すれば、メモリダイヤル機能の実行は、当該所有者等が、予め相手先の発信情報を知っていることが前提となり、さらに言えば、当該所有者等に相手先の発信情報をメモリ部１５へ登録しようと思う動機づけがあることが前提となる。
【００２９】
しかし、当該所有者等は、必ずしも、相手先の電話番号を予め知っている訳ではない。例えば、相手先に初めて電話を掛けるとき、当該所有者等は、相手先から事前に電話番号を伝えられていない限り、電話帳冊子などで電話番号を調べ、一桁づつプッシュするといった極めて面倒な発信作業を行わなければならないという問題（第１の問題）が生じる。
【００３０】
また、発信情報の登録作業は面倒であるから、相手先から事前に電話番号が伝えられている場合であっても、以後、同相手先に対して再び電話を掛ける予定がないとき、あえて登録作業を行わない傾向にある。その結果、相手先から事前に伝えられた電話番号を、一桁づつプッシュするといった極めて面倒な発信作業を行わなければならなくなる。
【００３１】
しかも、電話番号を一桁づつプッシュする発信作業は、押し間違いなどが生じやすく、間違い電話が誘発されるという問題（第２の問題）も生じる。
【００３２】
さらに、当該所有者等に特定の相手先情報を当該アドレス帳へ登録しようと思う事前の動機づけがない場合の問題は、公的サービスを利用する場合にも生じる。例えば各地方自治体には、住民の生命財産を守るため、自殺問題、家庭内暴力問題、いじめ問題などの各種相談窓口が設けられ、各相談窓口には専用の電話番号が開設されている。しかし、この種の公的サービスは、所有者等が各問題に直面したときに初めて利用しようという動機が生まれるから、その専用電話番号が、事前に通信端末装置のメモリ部１５への登録されることはない。しかも、所有者等が実際に各問題に直面している状況では、電話帳冊子から相談窓口の専用電話番号を調べるなどの冷静な判断を行うことは困難である。その結果、救えるべき住民の生命財産が救われなくなるという問題（第３の問題）を生じる。
【００３３】
同様の問題は、高齢者においてより顕著に現れる。例えば、高齢者社会の進展に沿って、高齢者の生活を支援するための公的サービス、及び、民間企業による各種サービスが普及し始めている。しかし、高齢者の側で、同サービスの存在に気付かない場合、さらに言えば、気づいたとしても具体的な電話番号を調べられない場合、同サービスが受けられないという問題（第４の問題）が生じる。
【００３４】
図１の通信端末装置は、上述した第１〜４の問題を解決するため、記録装置２を有する点に特徴の一つがある。すなわち、図１の記録装置２は、通信端末装置に用いられるものであって、読み出し専用の電話番号データを有し、機器本体部１に分離可能に取り付けられている。
【００３５】
記録装置２は、記録されている情報を読み出すことのみ可能なＲＯＭ（Read Only Memory）であって、好ましくは不揮発性メモリである。記録装置２は、「読み出し専用」なので、基本的に記録されているデータは書き換えることができないこととなる。もっとも、記録装置２における「読み出し専用」とは、少なくとも部分的な書き換えができないことを意味する。換言すれば、記録装置２の「読み出し専用」は、データ全部の一括消去や、一括上書き、及び、ブランク状態の書き込みなどが可能であってもよい。また、記録装置２は、上述したＲＯＭ（領域）とは別に、ＲＡＭ（領域）を備えていてもよい。
【００３６】
図１の記録装置２は、チップ状の半導体メモリであって、好ましくは、特定の情報を予め記録した状態で製造されるＲＯＭ（マスクＲＯＭ）であり、機器本体部１に分離可能に取り付けられる。図１では必ずしも図明らかではないが、機器本体部１は記録装置２のためのインターフェース１７を有し、記録装置２はインターフェース１７に挿し込まれることにより、機器本体部１に分離可能、又は、着脱可能な状態で内蔵される。
【００３７】
記録装置２は、インターフェース１７を介して信号処理部１６と電気的に接続されていることにより、例えば、この種の通信端末装置の通話機能において、情報入力部１０の入力操作に基づいて、記録された電話番号データから所望の電話番号を選択し、選択した電話番号を送受信部１３から発信させる。
【００３８】
ここで、記録装置２に記録されるべき電話番号データとしては、まず、公共性の高い特定の電話番号、又は、緊急性の高い特定の電話番号であることが求められる。公共性、又は、緊急性の高い特定の電話番号としては、例えば、各地方自治体など公共機関に開設されている自殺問題、家庭内暴力問題、いじめ問題、その他各種法律相談窓口など公的サービスの専用電話番号が考えられる。もっとも、同種のサービスであれば、必ずしもサービス提供主体が公共機関である必要はなく、民間企業又は民間団体によって運営されている同相談窓口の電話番号であってもよい。
【００３９】
記録装置２に記録されるべき電話番号データとして、好ましくは、西日本電信電話株式会社および東日本電信電話株式会社が発行する業種別電話帳や、同じく五十音順電話帳に掲載されている全ての電話番号が考えられる。もっとも、同電話番号データは、必ずしも日本国内の全地域を対象とする必要はなく、例えば、所定の地域別に配布されている同電話帳に掲載の電話番号に限定されてもよい。
【００４０】
本発明の実施形態に係る記録装置２、及び、これを用いた通信端末装置は、図１を参照して説明した構成を有することにより、第１〜第４の問題を全て解決することができる。具体的に、通信端末装置を構成する記録装置２は、読み出し専用の電話番号データを有するから、当該所有者等が、自ら相手先の電話番号を登録する必要がなくなる。その結果、例えば相手先に初めて電話を掛けるときでもメモリダイヤル機能を使用することが可能となる。従って、利便性の高い通信端末装置を提供することができる。
【００４１】
記録装置２は、通信端末装置を構成する機器本体部１に分離可能に取り付けられているから、当該所有者等は、記録装置２を交換するだけで、電話番号のデータ更新を行うことができる。従って、利便性の高い通信端末装置を提供することができる。
【００４２】
記録装置２は、チップ状の半導体メモリであって、好ましくは、電話番号データを予め記録した状態で製造されるＲＯＭ（マスクＲＯＭ）である。この構成によると、当該所有者等は、購入した記録装置２を機器本体に取り付けるだけで、電話番号データの更新を行うことができる。データ更新について、例えば記録装置２が、上述した業種別電話帳や、五十音順電話帳の改編に従った電話番号データを有することにより、最新情報とすることができる。従って、利便性の高い通信端末装置を提供することができる。
【００４３】
上述したように、図１の記憶装置、及び、これを用いた通信端末装置は、通信端末装置を構成する記録装置２は、読み出し専用の電話番号データを有するから、記録装置２に記録されるべき電話番号データとして、西日本電信電話株式会社および東日本電信電話株式会社が発行する業種別電話帳や、同じく五十音順電話帳に掲載されている全ての電話番号が記録されている場合、相手先に初めて電話を掛けるとき、当該所有者等に、相手先から事前に電話番号を伝えられていない場合であっても、電話帳冊子などで電話番号を調べて一桁づつプッシュするといった発信作業を行う必要がなくなる。従って、従来技術に係る第１の問題が解消される。
【００４４】
次に、電話帳冊子などで電話番号を調べて一桁づつプッシュするといった発信作業を行う必要がなくなるから、ダイヤルボタンの押し間違いは生ぜず、間違い電話の危険が回避される。従って、従来技術に係る第２の問題が解消される。
【００４５】
次に、図１の記録装置２に、公共性、又は、緊急性の高い特定の電話番号、例えば、各地方自治体など公共機関に開設されている自殺問題、家庭内暴力問題、いじめ問題、その他各種法律相談窓口など公的サービスの専用電話番号が記録されている場合、当該所有者等は、実際に各問題に直面している切迫した状況あっても、電話帳冊子から相談窓口の専用電話番号を調べることなく、簡単に同窓口の専用電話番号をダイヤルし、相談することができる。従って、従来技術に係る第３の問題が解消される。
【００４６】
次に、図１の記録装置２に、高齢者の生活を支援するための公的サービス、及び、民間企業による各種サービスの電話番号データが記録されている場合、高齢者の側で、同サービスの存在に気付かない場合、さらに言えば、気づいたとしても具体的な電話番号を調べられない場合であっても、簡単に同窓口の専用電話番号をダイヤルし、同サービスが受けることができる。従って、従来技術に係る第４の問題が解消される。
【００４７】
図２は、本発明のもう一つの実施形態に係る通信端末装置の構成を簡略化して示すブロック図である。図２の実施形態は、図１の実施形態とは異なり、記録装置２が通信端末装置の機器本体の外部に取り付けられている点に特徴がある。以下、図１との相違点を中心に説明する。
【００４８】
図２の通信端末装置は、いわゆる固定電話装置であって、機器本体部１と、記録装置２とを含む。記録装置２は、操作部２０と、表示部２１と、ＲＯＭ部２５と、信号処理部２６とを含む。
【００４９】
操作部２０は、通信端末装置が備える各種機能を実行するための入力操作を行うためのものであって、好ましくは指先や専用のペンで画面に触れることで入力を行うタッチパネルである。
【００５０】
表示部２１は、いわゆる操作画面であって、操作部２０より入力された情報や、電話番号や名前等の発信情報を表示する。表示部２１は、タッチパネルの画面を構成する。この種の表示部２１として、液晶ディスプレイなどが知られている。
【００５１】
図２の記録装置２は、機器本体部１に外付けされるハードディスク装置であって、好ましくはマスクＲＯＭであり、機器本体部１に分離可能に取り付けられる。図２からは必ずしも明らかではないが、記録装置２は例えばＣＤ（Compact Disc）、又は、ＤＶＤ（Digital Versatile Disc）など記録媒体の読み取り機構を有することにより、データ更新が行われる。また、機器本体部１は、記録装置２のためのインターフェース１７を有し、記録装置２は接続コードなどを介して機器本体部１に分離可能、又は、着脱可能な状態で外付けされる。
【００５２】
信号処理部２６は、操作部２０の入力操作に基づいて、ＲＯＭ部２５に記録されている電話番号データから、所望の電話番号データを特定するための演算処理を行う。すなわち、ＲＯＭ部２５に、西日本電信電話株式会社および東日本電信電話株式会社が発行する業種別電話帳や、同じく五十音順電話帳に掲載されている全ての電話番号データが記録されている場合、信号処理部２６は、操作部２０の入力操作に基づいて、例えば相手先名前の五十音別リストを表示させ、表示させたリストから特定の相手方を見出して発信するべき電話番号データを選択する。選択された電話番号データは、機器本体に供給され、送受信部１３を介して発信される。
【００５３】
端的に言えば、図２の記憶装置は、電話番号のデータベース（アドレス帳）となるＲＯＭ部２５を有し、操作部２０と、表示部２１と、信号処理部２６とは、同アドレス帳から特定の電話番号を検索して、機器本体部１に供給する機能を有している。
【００５４】
図２を参照して説明した記録装置２、及び、これを用いた通信端末装置においても、図１と実質的に同一の作用効果を奏することができる。例えば、通信端末装置を構成する記録装置２は、読み出し専用の電話番号データを有するから、当該所有者等が、自ら相手先の電話番号を登録する必要がなくなる。その結果、例えば相手先に初めて電話を掛けるときでもメモリダイヤル機能を使用することが可能となる。従って、利便性の高い通信端末装置を提供することができる。
【００５５】
記録装置２は、通信端末装置を構成する機器本体部１に分離可能に取り付けられているから、当該所有者等は、記録装置２を交換するだけで、電話番号のデータ更新を行うことができる。従って、利便性の高い通信端末装置を提供することができる。
【００５６】
以上、好ましい実施例を参照して本発明の内容を具体的に説明したが、本発明の基本的技術思想及び教示に基づいて、当業者であれば、種種の変形態様を採り得ることは自明である。例えば、図２の通信端末装置は、図１と同様に機器本体部１に記録装置１が内蔵されるものであってもよい。
【符号の説明】
【００５７】
１      機器本体部
１０    情報入力部
１１    表示部
１２    マイクロホン
１３    送受信部
１４    スピーカ
１５    メモリ部（ＲＡＭ）
１６    信号処理部
１７    インターフェース
１８    入出力端子
２      記録装置
２０    情報入力部
２１    表示部
２５    ＲＯＭ部
２６    信号処理部
【図１】
2014039114.tif 000003
【図２】
2014039114.tif 000004
【手続補正書】
【提出日】平成24年11月22日(2012.11.22)
【手続補正１】
【補正対象書類名】特許請求の範囲
【補正対象項目名】全文
【補正方法】変更
【補正の内容】
【特許請求の範囲】
【請求項１】
記録装置と、機器本体部とを含む通信端末装置であって、
前記記録装置は、読み出し専用の電話番号データを有し、前記機器本体部に分離可能に取り付けられており、
前記機器本体部は、情報入力部と、送受信部と、信号処理部とを有しており、
前記信号処理部は、前記情報入力部の入力操作に基づいて、前記電話番号データから、発信するべき電話番号を選択し、前記選択した電話番号を前記送受信部から直接発信させる、
通信端末装置。
【手続補正書】
【提出日】平成25年8月7日(2013.8.7)
【手続補正１】
【補正対象書類名】特許請求の範囲
【補正対象項目名】全文
【補正方法】変更
【補正の内容】
【特許請求の範囲】
【請求項１】
記録装置と、機器本体部とを含む通信端末装置であって、
前記記録装置は、読み出し専用の電話番号データを有し、前記機器本体部に分離可能に取り付けられており、
前記機器本体部は、情報入力部と、送受信部と、信号処理部とを有しており、
前記信号処理部は、前記情報入力部の入力操作に基づいて、前記電話番号データから、発信するべき電話番号を選択し、前記選択した電話番号を前記送受信部から直接発信させ、
さらに、前記記録装置は、前記電話番号データを予め記録した状態で製造されるマスクＲＯＭであり、
前記電話番号データは、公共機関に開設されている相談窓口の専用電話番号、公共機関による高齢者生活支援サービスの電話番号、又は、民間企業による高齢者生活支援サービスの電話番号の何れかを含む、
通信端末装置。